(57)【要約】　　　（修正有）【課題】園芸用容器内部の水の排出度合いを必要に応じて制御したり、園芸用容器内部の植物の根に対して十分な量の外気を供給したりできる園芸用底敷を提供する。【解決手段】園芸用容器は、底壁２０２及び側壁２０１を有し、上端を開口した筒状の本体部２００と、少なくとも本体部２００の側壁２０１の一側部において底壁２０２側から上方に延びる開口部２０７を有すると共に、開口部２０７から本体部２００の内部に延びる凹部状の空間を形成する凹部壁２０５とを備え、凹部壁２０５に多数の水抜き孔２０５ｘを形成している。凹部壁２０５は、本体部２００の底壁２０２から上方に突出する略山形状をなし、側壁２０１の一側部から他側部へと底壁２０２の略中央部に沿って延びる。【選択図】図２３
2004073044.tif 000002
【特許請求の範囲】
【請求項１】
底壁及び側壁を有し、上端を開口した筒状の本体部と、
少なくとも前記本体部の側壁の一側部において前記底壁側から上方に延びる開口部を有すると共に、前記開口部から前記本体部の内部に延びる凹部状の空間を形成する凹部壁とを備え、
前記凹部壁に多数の水抜き孔を形成した
ことを特徴とする園芸用容器。
【請求項２】
前記凹部壁は、前記本体部の底壁から上方に突出する略山形状をなし、前記側壁の一側部から他側部へと前記底壁の略中央部に沿って延びることを特徴とする請求項１記載の園芸用容器。
【請求項３】
前記凹部壁は、前記開口部を前記本体部の底壁から上方に突出する略三角形状とし、前記側壁の一側部から他側部へと前記底壁の略中央部に沿って延びる略四面体形状をなすことを特徴とする請求項１記載の園芸用容器。
【請求項４】
前記本体部の側壁の前記一側部は平坦状とされると共に、取付壁面に対して壁掛け状態で取付け自在とされ、前記凹部壁は前記平坦状の側壁の一側部に形成されることを特徴とする請求項３記載の園芸用容器。
【請求項５】
前記本体部の側壁の前記一側部は平坦状とされると共に、取付壁面に対して壁掛け状態で取付け自在とされ、前記凹部壁は前記平坦状の側壁の前記一側部と反対側の他側部に形成されることを特徴とする請求項３記載の園芸用容器。
【請求項６】
前記凹部壁は曲面形状をなすことを特徴とする請求項４または５記載の園芸用容器。
【請求項７】
前記凹部壁の下端側に遮水性の遮水部を形成し、前記本体部の内部に水を貯留自在としたことを特徴とする請求項１乃至６のいずれか１項記載の園芸用容器。
【請求項８】
略全面を閉塞されると共に園芸用容器に充填した土中に埋設自在な寸法の中空体形状をなし、前記中空体の内部空間に連通する多数の水抜き孔を前記中空体の壁面の主要部に形成したことを特徴とする園芸用埋設体。
【請求項９】
前記中空体を生分解性材料により形成したことを特徴とする請求項８記載の園芸用埋設体。
【請求項１０】
前記中空体に肥料成分及び害虫忌避成分のいずれかを内包または含有したことを特徴とする請求項８または９記載の園芸用埋設体。
【請求項１１】
前記中空体の内部空間の容積を、前記園芸用容器の容積の約１〜１０％の範囲内としたことを特徴とする請求項８乃至１０のいずれか１項記載の園芸用埋設体。
【請求項１２】
園芸用容器の底壁の水抜き孔全体を覆うよう載置自在で、かつ、園芸用容器の土中に埋設自在な寸法の傾斜面を有する中空体形状をなし、前記中空体の内部空間に連通する多数の水抜き孔を前記中空体の壁面全体に形成すると共に、前記中空体の内部空間の容積を前記園芸用容器の容積の約１〜１０％の範囲内としたことを特徴とする園芸用底敷。
【請求項１３】
底壁及び側壁を有し、上端を開口した筒状の本体部と、
前記本体部の底壁側から上方に延びるよう前記底壁に一体形成され、底壁の底孔全体を覆うと共に前記本体部に充填した土中に埋設自在な寸法の傾斜面を有する中空体形状をなし、前記中空体の内部空間に連通する多数の水抜き孔を前記中空体の壁面全体に形成した水抜き部とを備え、
前記水抜き部の内部空間の容積を前記本体部の容積の約１〜１０％の範囲内としたことを特徴とする園芸用容器。
【発明の詳細な説明】
【０００１】
【発明の属する技術分野】
本発明は、凹部状の水抜き部を一体形成した植木鉢等の園芸用容器、園芸用容器に埋設される園芸用埋設体、園芸用容器の底壁に設けた水抜き孔に対応して配置される園芸用底敷及び園芸用底敷を一体形成した園芸用容器に関する。
【０００２】
【従来の技術】
一般に、植木鉢等の園芸用容器の底壁の中央には、内部の水を排出するための水抜き孔が設けられる。また、園芸用容器に花等の植物を植えるには、内部に充填する土が前記水抜き孔から落ちないよう、前記底壁の水抜き孔の上にネット状（網状）の園芸用底敷を敷くことがある。この園芸用底敷としては、従来、単なる平板状のものが使用されている。
【０００３】
【発明が解決しようとする課題】
従来の園芸用底敷では、園芸用容器内部の土は、前記園芸用底敷のうち、底壁の水抜き孔と同一面積の部分を介して、外気と接触する。ここで、前記底壁の水抜き孔の面積は、園芸用容器の種類に応じて画一的に決定されることから、前記園芸容器内部の土が外気と接触する面積も園芸用容器の種類に応じて画一的となる。したがって、植物への散水時に園芸用容器内部の土に進入した水の排出度合い、即ち、水はけの良さ（排出量、排出速度等）も、水抜き孔の面積により画一的に決定される。一方、植物の種類によっては、水はけを良くした方が良い場合もあり、逆に、内部の水をある程度多めに確保した方が良い場合もある。しかし、従来の園芸用底敷では、園芸用容器内部の水の排出度合い（水はけ）を制御することができないため、植物の種類によっては、園芸容器内部に余分な水が滞留して植物が根腐れを起こす可能性や、逆に、植物の根に十分な量の水を確保できない可能性がある。その結果、従来の園芸用底敷は、園芸用容器内部の水の排出度合いを制御する点で改善する余地がある。
【０００４】
また、一般に、植物の根を良好に成長させるためには、根に対して十分な量の外気を供給する必要がある。しかし、従来の園芸用底敷では、上記のように、園芸容器内部の土が外気と接触する面積が、底壁の水抜き孔の面積と同一であり小さいため、植物の根に対して十分な量の外気を供給できない可能性がある。その結果、従来の園芸用底敷は、植物の根に対する外気の供給の点でも改善する余地がある。
【０００５】
そこで、本発明は、園芸用容器内部の水の排出度合いや貯留度合いを必要に応じて制御したり、園芸用容器内部の植物の根に対して十分な量の外気や空気を供給したりすることができる園芸用底敷、園芸用容器、及び園芸用埋設体の提供を課題とする。
【０００６】
【課題を解決するための手段】
請求項１に係る園芸用容器は、底壁及び側壁を有し、上端を開口した筒状の本体部と、少なくとも前記本体部の側壁の一側部において前記底壁側から上方に延びる開口部を有すると共に、前記開口部から前記本体部の内部に延びる凹部状の空間を形成する凹部壁とを備え、前記凹部壁に多数の水抜き孔を形成した。
【０００７】
請求項２に係る園芸用容器は、請求項１の構成において、前記凹部壁が、前記本体部の底壁から上方に突出する略山形状をなし、前記側壁の一側部から他側部へと前記底壁の略中央部に沿って延びる。
【０００８】
請求項３に係る園芸用容器は、請求項１の構成において、前記凹部壁が、前記開口部を前記本体部の底壁から上方に突出する略三角形状とし、前記側壁の一側部から他側部へと前記底壁の略中央部に沿って延びる略四面体形状をなす。
【０００９】
請求項４に係る園芸用容器は、請求項３の構成において、前記本体部の側壁の前記一側部が平坦状とされると共に、取付壁面に対して壁掛け状態で取付け自在とされ、前記凹部壁は前記平坦状の側壁の一側部に形成される。
【００１０】
請求項５に係る園芸用容器は、請求項３の構成において、前記本体部の側壁の前記一側部が平坦状とされると共に、取付壁面に対して壁掛け状態で取付け自在とされ、前記凹部壁は前記平坦状の側壁の前記一側部と反対側の他側部に形成される。
【００１１】
請求項６に係る園芸用容器は、請求項４または５の構成において、前記凹部壁が曲面形状をなす。
【００１２】
請求項７に係る園芸用容器は、請求項１乃至６のいずれかの構成において、前記凹部壁の下端側に遮水性の遮水部を形成し、前記本体部の内部に水を貯留自在とした。
【００１３】
請求項８に係る園芸用埋設体は、略全面を閉塞されると共に園芸用容器に充填した土中に埋設自在な寸法の中空体形状をなし、前記中空体の内部空間に連通する多数の水抜き孔を前記中空体の壁面の主要部に形成した。
【００１４】
請求項９に係る園芸用埋設体は、請求項８の構成において、前記中空体を生分解性材料により形成した。
【００１５】
請求項１０に係る園芸用埋設体は、請求項８または９の構成において、前記中空体に肥料成分及び害虫忌避成分のいずれかを内包または含有した。
【００１６】
請求項１１に係る園芸用埋設体は、請求項８乃至１０のいずれかの構成において、前記中空体の内部空間の容積を、前記園芸用容器の容積の約１〜１０％の範囲内とした。
【００１７】
請求項１２に係る園芸用底敷は、園芸用容器の底壁の水抜き孔全体を覆うよう載置自在で、かつ、園芸用容器の土中に埋設自在な寸法の傾斜面を有する中空体形状をなし、前記中空体の内部空間に連通する多数の水抜き孔を前記中空体の壁面全体に形成すると共に、前記中空体の内部空間の容積を前記園芸用容器の容積の約１〜１０％の範囲内とした。
【００１８】
請求項１３に係る園芸用容器は、底壁及び側壁を有し、上端を開口した筒状の本体部と、前記本体部の底壁側から上方に延びるよう前記底壁に一体形成され、底壁の底孔全体を覆うと共に前記本体部に充填した土中に埋設自在な寸法の傾斜面を有する中空体形状をなし、前記中空体の内部空間に連通する多数の水抜き孔を前記中空体の壁面全体に形成した水抜き部とを備え、前記水抜き部の内部空間の容積を前記本体部の容積の約１〜１０％の範囲内とした。
【００１９】
【発明の実施の形態】
以下、本発明の実施の形態を説明する。なお、各実施の形態を通じ、同一の部材、要素または部分には同一の符号を付して、その説明を省略する。
【００２０】
［実施の形態１］
図１は本発明の実施の形態１に係る園芸用底敷を示す斜視図である。図２は本発明の実施の形態１に係る園芸用底敷の使用状態を示す斜視図である。
【００２１】
｛全体構成及び突起部｝
図１及び図２に示すように、実施の形態１に係る園芸用底敷１０は、突起部１１と平板部１２とを備えている。突起部１１は、園芸用容器１の内部に配置可能な高さの中空の略円錐形状をなしている。また、突起部１１は、前記略円錐形状を高さ方向に上端から下端まで略一定間隔で複数段（図１の例では５段）に区画することにより、前記略円錐形状の円周方向に延びる帯状の水抜き部１１Ａ，１１Ｂ，１１Ｃ，１１Ｄ，１１Ｅを前記複数段（５段）形成している。更に、突起部１１は、最上段の各段の水抜き部１１Ａの円周方向の全長にわたって、その厚さ方向に貫通する多数の三角形状の小孔１１ａを、互いに密接するよう略一定間隔で配置している。また、突起部１１は、二段目より下側の各段の水抜き部１１Ｂ，１１Ｃ，１１Ｄ，１１Ｅの円周方向の全長にわたって、その厚さ方向に貫通する多数の台形状の小孔１１ｂ，１１ｃ，１１ｄ，１１ｅを、それぞれ、互いに密接するよう略一定間隔で配置している。
【００２２】
｛平板部｝
前記平板部１２は、前記突起部１１の下端の外周縁から外方に張り出し形成される略リング板形状をなしている。平板部１２は、前記略リング板形状を放射方向に略一定間隔で複数段（図１の例では３段）に区画することにより、前記略リング板形状の円周方向に延びるリング状の水抜き部１２Ａ，１２Ｂ，１２Ｃを前記複数段（３段）形成している。また、平板部１２は、各段の水抜き部１２Ａ，１２Ｂ，１２Ｃの円周方向の全長にわたって、前記水抜き部１２Ａ，１２Ｂ，１２Ｃの放射方向内方に延びる台形状の小孔１２ａ，１２ｂ，１２ｃを、多数配置している。即ち、各段の水抜き部１２Ａ，１２Ｂ，１２Ｃの小孔１２ａ，１２ｂ，１２ｃは、その高さ方向が平板部１２の中心に向かって延びるよう配置されている。
【００２３】
｛製造方法｝
実施の形態１の園芸用底敷１０は、例えば、ポリ塩化ビニル、ポリプロピレン、ポリスチレン、ＡＢＳ樹脂等の所定の樹脂材料を、射出成形等の通常の樹脂成形技術を使用して、上記突起部１１及び平板部１２を備える上記形状に一体成形することにより製造することができる。また、園芸用底敷１０は、生分解性プラスチック、古紙、再生紙等の環境に優しい材料を一体形成して製造することもできる。
【００２４】
｛使用方法、作用、効果｝
次に、実施の形態１に係る園芸用底敷１０の使用方法及び作用について説明する。
【００２５】
まず、園芸用底敷１０は、図２に示すように、植木鉢等の園芸用容器１の底壁２上面に、底壁２中央に形成した水抜き孔２ａを覆うよう載置される。即ち、突起部１１の下端の円形状の外周縁の内側（平板部１２の内周縁の内側）の略中央に、底壁２の水抜き孔２ａが位置するよう、園芸用底敷１０を底壁２上面に載置する。このとき、園芸用底敷１０を底壁２の水抜き孔２ａ上の所定位置に位置決めする位置決め部を、平板部１２の下面等に一体形成してもよい。例えば、平板部１２の内周縁から内方に延びる下向きのかぎ状部（フック）を一体形成し、そのかぎ状部を底壁２の水抜き孔２ａに引っ掛けて、園芸用底敷１０を所定位置に位置決めするようすることもできる。
【００２６】
この後、園芸用容器１内に土を充填すると共に、植物を植えてその根を土中に保持する。このとき、園芸用底敷１０により、充填土が底壁２の水抜き孔２ａから落下することを防止することができる。また、植栽後の散水時には、土中に染み込んだ水の一部は、そのまま土中に保持され、土中の植物の根に吸収される。一方、その他の水は、園芸用底敷１０を介して園芸用容器１の水抜き孔２ａから排出される。
【００２７】
ここで、園芸用容器１内部の土は、前記園芸用底敷１０の突起部１１の外周面全体、正確には、全小孔１１ａ，１１ｂ，１１ｃ，１１ｄ，１１ｅの合計面積の部分を介して、外気と接触する。また、外気との接触面積は、園芸用容器１の種類、寸法及び水抜き孔２ａの大きさ等に関係なく、園芸用底敷１０の寸法及び形状を変更することにより容易に変更することができる。即ち、図２に示すように、園芸用容器１の水抜き孔２ａより園芸用底敷１０の平板部１２内周縁が大きい場合、即ち、平板部１２内周縁より内側に水抜き孔２ａ全体が位置する場合は、突起部１１の寸法を増減変更したり、突起部１１の頂角を増減変更したり、突起部１１の小孔１１ａ，１１ｂ，１１ｃ，１１ｄ，１１ｅの数及び配置密度等を増減変更したりすることにより、外気との接触面積を容易に増減変更することができる。また、園芸用容器１の水抜き孔２ａより園芸用底敷１０の平板部１２内周縁が小さい場合、即ち、平板部１２内周縁より外側に水抜き孔２ａの一部が位置する場合は、上記突起部１１の変更に加えて、平板部１２の小孔１２ａ，１２ｂ，１２ｃの数及び配置密度等を増減変更することにより、外気との接触面積を容易に増減変更することができる。
【００２８】
したがって、実施の形態１の園芸用底敷１０によれば、植物への散水時に園芸用容器１内部の土に進入した水の排出度合い、即ち、水はけの良さ（排出量、排出速度等）を、容易に変更及び調整することができる。よって、植物の種類によって、水はけを良くしたり、逆に、内部の水をある程度多めに確保したりすることができ、園芸用容器１内部の水の排出度合い（水はけ）を容易に制御することができる。その結果、園芸容器１内部に余分な水が滞留して植物が根腐れを起こしたり、逆に、植物の根に十分な量の水を確保できないといった不具合を防止することができる。
【００２９】
また、上記のように、園芸容器１内部の土が外気と接触する面積を容易に調整することができるため、植物の根に対して十分な量の外気を最適な状態に調整して供給することができる。その結果、実施の形態１の園芸用底敷１０は、植物の根を良好な状態で生育させることができる。
【００３０】
［実施の形態２］
図３は本発明の実施の形態２に係る園芸用底敷２０の平板部２２の一部を示す平面図である。なお、図３は、平板部２２を２等分した一方の半円部のみ図示し、他の半円部は図示を省略している。
【００３１】
｛実施の形態１との異同｝
図３に示すように、実施の形態２に係る園芸用底敷２０は、平板部２２の構成において実施の形態１の園芸用底敷１０と異なる。それ以外の構成は、実施の形態１と同様である。具体的には、実施の形態２の園芸用底敷２０の平板部２２は、実施の形態１の平板部１２と同様、突起部１１の下端の外周縁から外方に張り出し形成される略リング板形状をなし、前記略リング板形状を放射方向に略一定間隔で複数段（図３の例では３段）に区画することにより、前記略リング板形状の円周方向に延びるリング状の水抜き部２２Ａ，２２Ｂ，２２Ｃを前記複数段（３段）形成している。一方、平板部２２は、各段の水抜き部２２Ａ，２２Ｂ，２２Ｃの円周方向の全長にわたって、前記水抜き部２２Ａ，２２Ｂ，２２Ｃの放射方向内方及び外方に延びる三角形状の小孔２２ａ１，２２ａ２，２２ｂ１，２２ｂ２，２２ｃ１，２２ｃ２を、交互に（ジグザグ状となるよう）多数配置している。即ち、各段の水抜き部２２Ａ，２２Ｂ，２２Ｃの小孔２２ａ１，２２ａ２，２２ｂ１，２２ｂ２，２２ｃ１，２２ｃ２のうち、一方の組の小孔２２ａ１，２２ｂ１，２２ｃ１は、その高さ方向が水抜き部２２Ａ，２２Ｂ，２２Ｃの放射方向外方（平板部１２の外周側）に向かって延びるよう配置されている。また、他方の組の小孔２２ａ２，２２ｂ２，２２ｃ２は、その高さ方向が水抜き部２２Ａ，２２Ｂ，２２Ｃの放射方向内方（平板部１２の中心）に向かって延びるよう配置されている。なお、水抜き部の放射方向内方及び外方に交互に延びる台形状の小孔を多数配置することにより、各水抜き部を構成してもよい。
【００３２】
実施の形態２に係る園芸用底敷２０は、実施の形態１に係る園芸用底敷１０と同様にして使用され、同様の作用及び効果を発揮する。
【００３３】
［実施の形態３］
図４は本発明の実施の形態３に係る園芸用底敷の使用状態を示す説明図であり、園芸用容器及び園芸用底敷を垂直方向に切断して示す。図５は本発明の実施の形態３に係る園芸用底敷の散水時の動作を示す説明図であり、園芸用容器及び園芸用底敷を垂直方向に切断して示す。
【００３４】
｛実施の形態１との異同｝
図４及び図５に示すように、実施の形態３に係る園芸用底敷３０は、実施の形態１の園芸用底敷１０と同様の突起部３１と平板部３２とを備えている。突起部３１には、実施の形態１の水抜き部１１Ａ，１１Ｂ，１１Ｃ，１１Ｄ，１１Ｅと同様の水抜き部が形成されている。また、平板部３２には、実施の形態１の水抜き部１２Ａ，１２Ｂ，１２Ｃまたは実施の形態２の水抜き部２２Ａ，２２Ｂ，２２Ｃと同様の水抜き部が形成されている。即ち、突部３１及び平板部３２には、それぞれ、実施の形態１または２の小孔１１ｂ，１１ｃ，１１ｄ，１１ｅ：１２ａ，１２ｂ，１２ｃ：２２ａ１，２２ａ２，２２ｂ１，２２ｂ２，２２ｃ１，２２ｃ２と同様の多数の小孔が形成されている。
【００３５】
｛平板部｝
一方、実施の形態３に係る園芸用底敷３０は、特に、平板部３２の直径（外径）を実施の形態１の平板部１２より大径としている。詳細には、平板部３２は、園芸用容器１の底壁２より大径とされ、底壁２より若干上方で園芸用容器１の側壁３の内周面（傾斜面）に接触して位置決めされ、底壁２上面との間に所定の間隙を形成するようになっている。即ち、平板部３２の外周縁は間隔保持手段を構成し、突起部３１の下端が園芸用容器１の底壁２から上方に間隔を置いて配置されるよう、前記突起部３１を園芸用容器１の内部に位置決めして保持する。より詳細には、前記平板部３２の外周縁が、園芸容器１の底壁２から上方に前記間隔を置いた位置で、園芸用容器１の側壁３の内周面の周方向の全長にわたって略密接するよう、平板部３２の形状及び寸法を園芸用容器１の位置における側壁３の内周面の形状及び寸法に対応させることにより、間隔保持手段を構成している。なお、園芸用容器１の側壁３内周面の所定位置に、突起、フランジ等、平板部３２を下方から支持する部分を設けて、間隔保持手段を構成してもよい。或いは、平板部３２の下面側に、脚等、平板部３２を支持する脚状の部材を一体或いは別体に設けて、間隔保持手段を構成してもよい。それ以外の構成は、実施の形態１と同様である。
【００３６】
｛使用方法、作用、効果｝
実施の形態３に係る園芸用底敷３０は、実施の形態１に係る園芸用底敷１０と同様にして使用され、同様の作用及び効果を発揮する。加えて、実施の形態３に係る園芸用底敷３０では、平板部３２が、園芸用容器１の底壁２より大径とされ、底壁２上面との間に所定の間隙を形成するため、突起部３１に加えて、特に、大径の平板部３２の小孔の数及び配置密度等を増減変更することにより、園芸容器１内部の土と外気との接触面積を一層容易に増減変更することができる。例えば、平板部３２に実施の形態１と同様の密度で小孔を形成することにより、園芸用容器１内部の土５と外気との接触面積をその分大きくすることもできる。即ち、平板部３２（の小孔）の全面積と突起部３１（の小孔）の全面積との合計面積を、園芸用容器１内部の土と外気との接触面積とすることもできる。その結果、散水具７による植物６への散水時等に、園芸用容器１内部の土５に進入した水Ｗの排出度合いを、一層容易に変更及び調整することができ、根腐れ等を一層有効に防止することができる。また、園芸用容器１内部の土５への外気の供給量を一層容易に調整することができ、植物６の根６ａを一層良好に生育させることができる。なお、図５は、園芸用容器１の底部を受け皿４に収容した場合を示す。即ち、実施の形態３では、園芸用底敷３０の小孔の合計面積を最大値とすることにより、散水直後に園芸用底敷３０を経て園芸用容器１の水抜き孔２ａから排出された水Ｗは、迅速に受け皿４に貯留され、注水量によっては園芸用容器１内部にも貯留される。
【００３７】
ところで、実施の形態１、２または３の園芸用底敷１０，２０，３０では、突起部１１，２１，３１はいずれも略円錐形状をなし、平板部１２，２２，３２はいずれも円形の略リング板状形状をなす。しかし、実施の形態１、２または３では、突起部は略錐形状であればよく、例えば、略角錐状とすることもできる。また、平板部は、突起部の下端の外周形状に対応する形状であればよく、例えば、角形の略リング板形状とすることもできる。
【００３８】
［実施の形態４］
図６は本発明の実施の形態４に係る園芸用底敷を示す斜視図である。図７は本発明の実施の形態４に係る園芸用底敷の使用状態を示す斜視図である。
【００３９】
｛実施の形態１との異同｝
図６及び図７に示すように、実施の形態４に係る園芸用底敷４０は、突起部４１の構成において実施の形態１の園芸用底敷１０と異なる。それ以外の構成は、実施の形態１と同様である。具体的には、実施の形態４の園芸用底敷４０の突起部４１は、園芸用容器１の内部に配置可能な高さの中空の略円錐形状をなしている。また、突起部４１は、前記略円錐形状を高さ方向に上端から中央より若干下方の位置まで、実施の形態１の水抜き部１１Ａ，１１Ｂ，１１Ｃと同様の水抜き部４１Ａ，４１Ｂ，４１Ｃを複数段（図６の例では３段）形成している。なお、各水抜き部４１Ａ，４１Ｂ，４１Ｃには、それぞれ、実施の形態１の小孔１１ａ，１１ｂ，１１ｃと同様の小孔４１ａ，４１ｂ，４１ｃが形成されている。
【００４０】
｛遮水部｝
一方、突起部４１の水抜き部４１Ｃより下側の円形の帯状部分には、非透水性（遮水性）の遮水部４５が設けられている。具体的には、遮水部４５は、園芸用底敷４０の成形時に、突起部４１の前記下端側の帯状部分を単なる（孔を有しない）円形帯板状となるよう形成することにより設けられる。なお、遮水部４５は、例えば、園芸用底敷４０を合成樹脂材料により一体成形する際に突起部４１の下端側部分に一体形成してもよいし、或いは、実施の形態１と同様の園芸用底敷１０を形成した後に、その突起部１１の下側部分（例えば下側２段の水抜き部１１Ｄ，１１Ｅ）に対応する部分に、遮水性のシートまたはフィルムを接着、粘着、溶着等により接合して設けてもよい。遮水製のシートまたはフィルムとしては、一般の遮水製シート材料、フィルム材料（合成樹脂材料）を使用することができる。また、遮水部４５の下端の直径は、園芸用容器１の水抜き孔２ａの直径より大きくすることが好ましい。こうすれば、後述するように、受け皿を省略した場合でも、遮水部４５を利用して園芸用容器１内部に貯水を行うことができる。
【００４１】
｛使用方法、作用、効果｝
次に、実施の形態４に係る園芸用底敷４０の使用方法及び作用について説明する。
【００４２】
まず、園芸用底敷４０は、図７に示すように、実施の形態１の場合と同様にして、植木鉢等の園芸用容器１の底壁２上面に、底壁２中央に形成した水抜き孔２ａを覆うよう載置され、実施の形態１と同様の作用及び効果を発揮する。加えて、実施の形態４に係る園芸用底敷４０では、突起部４１の下端側に遮水部４５を設けたため、遮水部４５の面積を増減変更することにより、園芸容器１内部の土と外気との接触面積を一層容易に増減変更することができる。即ち、遮水部４５の下端の直径を園芸用容器１の水抜き孔２ａの直径より大きくした場合、突起部４１の小孔４１ａ，４１ｂ，４１ｃの合計面積と、遮水部４５の面積との比率を変更することにより、園芸用容器１内部の土と外気との接触面積を容易に変更することができる。なお、遮水部４５の下端の直径を園芸用容器１の水抜き孔２ａの直径より小さくした場合、突起部４１の小孔４１ａ，４１ｂ，４１ｃ及び平板部１２の小孔１２ａ，１２ｂ，１２ｃの合計面積と、遮水部４５の面積との比率を変更することにより、園芸用容器１内部の土と外気との接触面積を容易に変更することができる。
【００４３】
更に、遮水部４５を園芸用容器１の水抜き孔２ａより大径とすることにより、遮水部４５の高さの範囲まで園芸用容器１内部に水を貯留することもできる。この場合、通常の園芸用容器１では、底壁２の上面に小さな凹凸があるため、遮水部４５の下端と園芸用容器１の底壁２の上面との間のわずかな隙間が形成される。よって、この隙間から、園芸用容器１内部に貯留された水が水抜き孔２ａへと流出し、水抜き孔２ａから徐々に排出される。その結果、園芸用容器１内部を適度な保水状態に維持することができる。なお、遮水部４５の下端（または平板部１２の内周縁の下側）に、園芸用容器１の底壁２の上面と水密に接触するシール材を設けてもよい。この場合、遮水部４５による園芸用容器１内部の貯水効果を長期間維持することができる。
【００４４】
また、遮水部４５により園芸用容器１内部に水を貯留したときに、遮水部４５の内周面により囲まれる円錐台形状の空間には、水は侵入せず、その空間は、園芸用容器１内の土への外気供給空間として機能する。即ち、本実施の形態では、図５（実施の形態３）に示すように園芸用容器１に注いだ水が園芸用容器１内で同一レベルまで貯留されるわけではない。本実施の形態では、園芸用容器１に注いだ水は、遮水部４５の外周面側では同一レベルまで貯水される一方、遮水部４５の内周面側には外気供給空間が確保される。その結果、園芸用容器１の植物の根へ外気を十分に供給することができる。
【００４５】
［実施の形態５］
図８は本発明の実施の形態５に係る園芸用底敷を示す斜視図である。図９は本発明の実施の形態５に係る園芸用底敷の使用状態を示す説明図であり、園芸用容器を垂直方向に切断して示す。
【００４６】
｛実施の形態４との異同｝
図８に示すように、実施の形態５に係る園芸用底敷５０は、実施の形態４の園芸用底敷４０とほぼ同様の構成であるが、突起部５１の小孔５１ａ及び平板部５２の小孔５２ａ１，５２ａ２，５２ｄの構成（形状及び配置態様）において実施の形態４の園芸用底敷４０と異なる。具体的には、園芸用底敷５０の突起部５１には、園芸用容器１の内部に配置可能な高さの中空の略円錐形状をなしている。また、突起部５１は、前記略円錐形状を高さ方向に上端から下端より若干上方の位置まで、厚さ方向に貫通する多数の略ひし形形状の小孔５１ａを密度高く配置して、水抜き部を形成している。なお、実施の形態４では、遮水部４５は、突起部４１の下側約５分の２程度の高さに形成されているが、実施の形態５では、前記水抜き部の面積を大きく確保するため、遮水部５５は、突起部５１の下側約５分の１の高さに形成されている。
【００４７】
｛平板部｝
一方、平板部５２は、実施の形態２の平板部２２とほぼ同様の構成であり、突起部５１の下端の外周縁から外方に張り出し形成される略リング板形状をなし、前記略リング板形状を放射方向に略一定間隔で複数段（図８の例では５段）に区画することにより、前記略リング板形状の円周方向に延びるリング状の水抜き部５２Ａ，５２Ｂ，５２Ｃ，５２Ｄ，５２Ｅを前記複数段（５段）形成している。また、平板部５２は、外周側の３段の水抜き部５２Ｃ，５２Ｄ，５２Ｅの円周方向の全長にわたって、前記水抜き部５２Ｃ，５２Ｄ，５２Ｅの放射方向内方及び外方に延びる三角形状の小孔５２ｅ１，５２ｅ２を、交互に（ジグザグ状となるよう）多数配置している（水抜き部５２Ｅの小孔５２ｅ１，５２ｅ２にのみ付番）。小孔５２ｅ１，５２ｅ２は、実施の形態２の小孔２２ａ１，２２ａ２，２２ｂ１，２２ｂ２，２２ｃ１，２２ｃ２とほぼ同様の構成であるが、実施の形態５では、一方の小孔５２ｅ２を更に放射方向に延びる直線により２分割している。
【００４８】
｛使用方法、作用、効果｝
実施の形態５に係る園芸用底敷５０は、実施の形態４に係る園芸用底敷４０と同様にして使用され、同様の作用及び効果を発揮する。また、遮水部５５は、突起部５１の下側約５分の１の高さに形成されているため、上記園芸用容器１内部の貯水効果を実施の形態４の場合より小さくし、その分、園芸用容器１内部の水はけを増加している。図９は、園芸用底敷５０の遮水部５５の高さまで園芸用容器１内部に水Ｗを貯水した状態を示す。この貯水量は、遮水部５５の高さを変更することにより容易に調整可能である。このように、本発明（実施の形態４，５，６，７，９，１０）は、遮水部４５，５５の高さを増減変更することにより、園芸用容器１内部の貯水量、保水状態等を最適な状態に調整することができる。
【００４９】
また、実施の形態５でも、実施の形態４と同様、遮水部５５により園芸用容器１内部に水を貯留したときに、遮水部５５の内周面により囲まれる円錐台形状の空間には、水は侵入せず、その空間は、園芸用容器１内の土への外気供給空間として機能する。即ち、図９に示す水Ｗは、遮水部５５の外周側でドーナツリング状となって園芸用容器１の底壁２上に貯留される。
【００５０】
［実施の形態６］
図１０は本発明の実施の形態６に係る園芸用底敷を示す斜視図である。
【００５１】
｛実施の形態４との異同｝
図１０に示すように、実施の形態６に係る園芸用底敷６０は、平板部６２の構成において実施の形態４の園芸用底敷４０と異なる。それ以外の構成は、実施の形態４と同様である。具体的には、実施の形態６の園芸用底敷６０の平板部６２の全体は、非透水性（遮水性）の遮水部６５とされている。具体的には、遮水部６５は、園芸用底敷６０の成形時に、平板部６２の全体を単なる（孔を有しない）リング板状となるよう形成することにより設けられる。なお、遮水部６５は、例えば、園芸用底敷６０を合成樹脂材料により一体成形する際に突起部４１の下端に一体形成してもよいし、或いは、実施の形態１と同様の園芸用底敷１０を形成した後に、その平板部１２の全体（上面または下面）に、遮水性のシートまたはフィルムを接着、粘着、溶着等により接合して設けてもよい。
【００５２】
｛使用方法、作用、効果｝
実施の形態６に係る園芸用底敷６０は、実施の形態４に係る園芸用底敷４０と同様にして使用され、同様の作用及び効果を発揮する。また、園芸用底敷６０は、突起部４１の遮水部４５に加えて、平板部６２全体を遮水部６５としているため、上記園芸用容器１内部の貯水効果を実施の形態４の場合より大きくすることができる。また、園芸用容器１の水抜き孔２ａの直径が園芸用底敷６０の突起部の下端の直径より大きい場合でも、水抜き孔２ａの直径が平板部６２（遮水部６５）の直径より小さければ、上記園芸用容器１内部の貯水効果を発揮することができる。なお、実施の形態６でも、遮水部６５の下面側に、園芸用容器１の底壁２の上面と水密に接触するシール材を設けてもよい。
【００５３】
［実施の形態７］
図１１は本発明の実施の形態７に係る園芸用底敷の使用状態を示す説明図であり、園芸用容器及び園芸用底敷を垂直方向に切断して示す。
【００５４】
｛実施の形態６との異同｝
図１１に示すように、実施の形態７に係る園芸用底敷７０は、実施の形態６の園芸用底敷６０と同様の突起部７１と平板部７２とを備えている。突起部７１には、実施の形態４の水抜き部４１Ａ，４１Ｂ，４１Ｃと同様の水抜き部及び遮水部４５と同様の遮水部がそれぞれ形成されている。また、平板部７２の全体には、実施の形態６の遮水部６５と同様の遮水部が形成されている。
【００５５】
｛平板部｝
一方、実施の形態７に係る園芸用底敷７０は、特に、平板部７２の直径（外径）を実施の形態６の平板部１２より大径としている。詳細には、平板部７２は、園芸用容器１の底壁２より大径とされ、底壁２より若干上方で園芸用容器１の側壁３の内周面（傾斜面）に接触して位置決めされ、底壁２上面との間に所定の間隙を形成するようになっている。即ち、平板部７２の外周縁は間隔保持手段を構成し、突起部７１の下端が園芸用容器１の底壁２から上方に間隔を置いて配置されるよう、前記突起部７１を園芸用容器１の内部に位置決めして保持する。より詳細には、前記平板部７２の外周縁が、園芸容器１の底壁２から上方に前記間隔を置いた位置で、園芸用容器１の側壁３の内周面の周方向の全長にわたって略密接するよう、平板部７２の形状及び寸法を園芸用容器１の位置における側壁３の内周面の形状及び寸法に対応させることにより、間隔保持手段を構成している。それ以外の構成は、実施の形態６と同様である。
【００５６】
なお、実施の形態３と同様、なお、園芸用容器１の側壁３内周面の所定位置に、突起、フランジ等、平板部７２を下方から支持する部分を設けて、間隔保持手段を構成してもよい。或いは、平板部７２の下面側に、脚等、平板部７２を支持する脚状の部材を一体或いは別体に設けて、間隔保持手段を構成してもよい。
【００５７】
｛使用方法、作用、効果｝
実施の形態７に係る園芸用底敷７０は、実施の形態６に係る園芸用底敷６０と同様にして使用され、同様の作用及び効果を発揮する。加えて、実施の形態７に係る園芸用底敷７０では、平板部７２が、園芸用容器１の底壁２より大径とされ、底壁２上面との間に所定の間隙を形成する。したがって、受け皿４を省略した場合でも、園芸容器１内部に注入した水Ｗは、遮水部６５及び遮水部４５により貯留され、図１１中破線で示す位置（遮水部４５の高さ位置）まで貯留可能である。
【００５８】
また、実施の形態７でも、実施の形態４と同様、遮水部４５により園芸用容器１内部に水を貯留したときに、遮水部４５の内周面により囲まれる円錐台形状の空間には、水は侵入せず、その空間は、園芸用容器１内の土への外気供給空間として機能する。即ち、図１１に示す水Ｗは、遮水部４５の外周側でドーナツリング状となって園芸用容器１の底壁２上に貯留される。また、実施の形態７では、遮水部４５の内部空間（円錐台形状）を含む突起部７１の内部空間（円錐状）に加えて、平板部７２の下面側にも円盤状の外気供給空間が形成される。
【００５９】
［実施の形態８］
図１２は本発明の実施の形態８に係る園芸用底敷を示す斜視図である。
【００６０】
｛実施の形態６との異同｝
図１２に示すように、実施の形態８に係る園芸用底敷８０は、実施の形態１の突起部１１の下端に実施の形態６の平板部６２を一体形成したものである。即ち、実施の形態８の園芸用底敷８０は、突起部１１には遮水部を設けず、平板部６２の全体にのみ遮水部６５を設けている。
【００６１】
｛作用、効果｝
実施の形態８に係る園芸用底敷８０は、実施の形態４〜６のような貯水効果を有しないが、平板部６２（遮水部６５）の内周側の直径（内径）を園芸用容器１の水抜き孔２ａの直径より小さい範囲で増減変更することにより、水抜き孔２ａの直径にかかわらず、園芸容器１からの水はけを調整することができる。
【００６２】
［実施の形態９］
図１３は本発明の実施の形態９に係る園芸用底敷の使用状態を示す斜視図である。
【００６３】
｛全体構成｝
図１３に示すように、実施の形態９に係る園芸用底敷９０は、長尺（長方形箱状）の園芸用容器１Ａに使用される。具体的には、園芸用底敷９０は、山形状（断面三角形状）の突起部９１を幅方向に複数（図１３の例では２個）連続するよう一体形成して構成される。各突起９１部の両側面（両斜面）の下端側の略２分の１の部分には、それぞれ、遮水部９５が設けられている。遮水部９５は、実施の形態４で述べたように、園芸用底敷９０の製造時に突起部の下側半分に一体成形してもよいし、遮水製シートまたは遮水製フィルム等を接合して形成してもよい。
【００６４】
｛使用方法、作用、効果｝
実施の形態９に係る園芸用底敷９０は、長尺（長方形箱状）の園芸用容器１Ａの底壁２Ａ上面に、その底壁２Ａ全体を覆うよう載置され、実施の形態６の園芸用底敷６０と同様の作用及び効果（貯水効果等）を発揮する。
【００６５】
［実施の形態１０］
図１４は本発明の実施の形態１０に係る園芸用底敷の使用状態を示す説明図であり、園芸用容器を垂直方向に切断して示す。
【００６６】
｛実施の形態９との異同｝
図１４に示すように、実施の形態１０に係る園芸用底敷１００は、実施の形態９の突起部９１を幅方向に３個連続して一体形成したものである。その他の構成は実施の形態９と同様である。実施の形態１０に係る園芸用底敷１００は、実施の形態９と同様にして、園芸用容器１Ａの底壁２Ａ上面に載置され、実施の形態９の園芸用底敷９０と同様の作用及び効果を発揮する。
【００６７】
［実施の形態１１］
図１５は本発明の実施の形態１１に係る園芸用底敷の遮水具の使用状態を示す斜視図である。
【００６８】
実施の形態１１は園芸用底敷の遮水具に具体化される。この遮水具１１０は、図１５に示すように、本発明の園芸用底敷、例えば、実施の形態１の園芸用底敷１０と共に使用される。なお、本発明の遮水具１１０を使用する園芸用底敷は、園芸用容器１の内部に配置可能な高さの中空の突起状をなし、少なくとも上端から下端に向かう途中までの部分に多数の小孔を貫通形成して水抜き部を設けた突起部を具備するものであればよい。遮水具１１０は、例えば実施の形態１〜３の園芸用底敷１０等に、実施の形態４〜１０に示すような遮水機能を付与するために使用される。特に、図１５に示す遮水具１１０は、実施の形態１〜８に示すような円錐状の突起部１１等を有する園芸用底敷１０等と共に使用される。
【００６９】
具体的には、遮水具１１０は、突起部１１１と平板部１１２とを、合成樹脂等の遮水材料から一体成形したものである。突起部１１１は、園芸用底敷１０の突起部１１の下部に対応する形状、例えば、下側２段の水抜き部１１Ｅ，１１Ｄに対応する円錐台形筒状をなす。また、平板部１１２は、園芸用底敷１０の平板部１２に対応する形状、例えば、平板部１２と略同一のリング板形状をなし、突起部１１１の下端外周から外方にフランジ状に張り出すよう一体形成される。
【００７０】
この遮水具１１０は、通常、遮水機能を持たない園芸用底敷、例えば実施の形態１の園芸用底敷１０の突起部１１に上方から被せて使用され、園芸用底敷１０に対し、実施の形態６の園芸用底敷６０の遮水部４５，６５と同様の遮水機能を付与する。
【００７１】
［実施の形態１２］
図１６は本発明の実施の形態１２に係る園芸用底敷の遮水具の使用状態を示す斜視図である。
【００７２】
実施の形態１２は、実施の形態１１と同様、園芸用底敷の遮水具に具体化される。この遮水具１２０は、図１６に示すように、本発明の園芸用底敷、例えば、実施の形態１の園芸用底敷１０と共に使用され、実施の形態４〜１０に示すような遮水機能を付与する。特に、図１６に示す遮水具１２０は、実施の形態１〜８に示すような円錐状の突起部１１等を有する園芸用底敷１０等と共に使用される。
【００７３】
一方、実施の形態１２の遮水具１２０は、実施の形態１１のように突起部を有さず、合成樹脂等の遮水材料から一体成形した厚肉のリング板状をなす。遮水具１２０は、園芸用底敷１０の平板部１２に対応する形状、例えば、平板部１２と略同一のリング板形状をなし、中央に突起部１１を挿入自在な挿入孔１２１を貫通形成している。
【００７４】
この遮水具１２０は、実施の形態１１と同様、通常は遮水機能を持たない園芸用底敷に上方から被せて使用され、遮水機能を付与する。特に、実施の形態１２の遮水具１２０は、厚肉、例えば、園芸用底敷１０の突起部１１の最も下側の段の水抜き部１１Ｅと略同一高さの厚肉に形成される。これにより、遮水具１２０は、実施の形態６の園芸用底敷６０の遮水部４５，６５と同様の遮水機能を付与する。なお、遮水具１２０は、全体を発泡ウレタン樹脂などの吸水性樹脂材料より厚肉リング板状に形成し、その下面側にリング形状の遮水シートを接着、溶着、圧着等により接合してもよい。この場合、遮水具１２０は、下面で遮水機能を発揮すると共に、上面側で保水機能を発揮する。
【００７５】
なお、実施の形態１１及び１２を含む本発明の遮水具は、遮水機能を有する園芸用底敷に使用して、その園芸用底敷に既定の遮水機能を変更し、多種多様な遮水機能（遮水高さ変更、遮水面積変更等）を実現するようにすることもできる。
【００７６】
［実施の形態１３］
図１７は本発明の実施の形態１３に係る園芸用底敷の遮水具の使用状態を示す説明図であり、園芸用容器を垂直方向に切断して示す。
【００７７】
実施の形態１１及び１２の遮水具１１０，１２０は、園芸用底敷１０の平板部１２の上面に重ねて、即ち、突起部１１の外周の下端に位置決めして保持自在である。一方、実施の形態１３に係る遮水具１３０は、図１７に示すように、園芸用底敷１０の突起部１１の外周の上端と下端の間の位置（中間位置）に位置決めして保持自在である。即ち、遮水具１３０は、突起部１１の外周の中間位置の外径と同一の内径を有する略リング板形状をなす遮水材料からなる。
【００７８】
遮水具１３０の外径は、図１７では、園芸用底敷１０の平板部１２より若干小さく設定されている。これにより、遮水具１３０は、園芸用底敷１０等の突起部１１等に上方から被せて使用され、突起部１１等の中間位置に保持される。これにより、園芸用容器１内に土を充填したときに、園芸用底敷１０等の平板部１２等と遮水具１２０の間に、土が充填されない空間が形成及び確保され、園芸用容器１内の植物の根への外気の供給空間として機能する。
【００７９】
また、実施の形態１３は、図１７の二点差線で示すように、遮水具１３０Ａの外径を、園芸用底敷１０の突起部１の中間位置に保持したときに、その位置の園芸用容器１の側壁３の内径と略同一とすることもできる。この場合、遮水具１３０Ａを園芸用底敷１０の突起部１１に上方から被せて突起部１１の中間位置に保持したときに、遮水具１３０Ａの外周縁が園芸用容器１の側壁３の内周面全体に密接する。これにより、遮水具１３０Ａは、突起部１１の中間位置で上記のような遮水機能を発揮する。また、園芸用容器１内に土を充填したときに、遮水具１３０Ａと園芸用容器１の底壁２または平板部１２との間には、土が充填されない大きな空間が形成及び確保され、園芸用容器１内の植物の根への外気の供給空間として機能する。
【００８０】
［実施の形態１４］
図１８は本発明の実施の形態１４に係る園芸用底敷の遮水具の使用状態を示す説明図であり、園芸用容器を垂直方向に切断して示す。
【００８１】
実施の形態１４の遮水具１４０は、実施の形態１３に係る遮水具１３０の外周縁から下方に略直交して延びる脚を一体形成したものである。具体的には、図１８に示すように、遮水具１４０は、突起部１１の外周の中間位置の外径と同一の内径を有する略リング板形状をなす平板部１４１と、平板部１４１の外周縁から下方に略直交して延びる脚１４２とを遮水材料から一体成形してなる。これにより、遮水具１４０は、園芸用底敷１０の突起部１１の外周の上端と下端の間の位置（中間位置）に安定して位置決めして保持自在である。
【００８２】
実施の形態１３の遮水具１３０と同様、遮水具１４０の外径は、図１８では、園芸用底敷１０の平板部１２より若干小さく設定されている。これにより、遮水具１４０は、園芸用底敷１０等の突起部１１等に上方から被せてその中間位置に保持され、園芸用容器１内に土を充填したときに、園芸用底敷１０等の平板部１２等と遮水具１４０の平板部１４１との間に、土が充填されない空間が形成及び確保され、園芸用容器１内の植物の根への外気の供給空間として機能する。
【００８３】
また、実施の形態１４は、実施の形態１３の遮水具１３０Ａと同様、図１８の二点差線で示すように、遮水具１４０Ａの平板部１４１の外径を、園芸用底敷１０の突起部１の中間位置に保持したときに、その位置の園芸用容器１の側壁３の内径と略同一とすることもできる。この場合、遮水具１４０Ａを園芸用底敷１０の突起部１１に上方から被せてその中間位置に保持したときに、遮水具１４０Ａの平板部１４１の外周縁が園芸用容器１の側壁３の内周面全体に密接する。これにより、遮水具１４０Ａは、突起部１１の中間位置で上記のような遮水機能を発揮する。また、園芸用容器１内に土を充填したときに、遮水具１４０Ａの平板部１４１と園芸用容器１の底壁２または平板部１２との間には、土が充填されない大きな空間が形成及び確保され、園芸用容器１内の植物の根への外気の供給空間として機能する。
【００８４】
即ち、本発明の遮水具は、前記園芸用底敷の突起部の外周の上端と下端との間の所定位置に位置決めして保持自在で、かつ、前記突起部の外周面から外方に張り出す略リング板形状をなす限りにおいて、任意の変更が可能である。また、実施の形態１３及び１４の遮水具１３０，１３０Ａ，１４０，１４０Ａと同様の形状のものを、遮水材料ではなく網状体等の透水材料殻形成したものを提供することもできる。この場合、遮水機能は有しないものの、上記の外気供給空間としての十分な機能を発揮することができる。
【００８５】
［実施の形態１５］
図１９は本発明の実施の形態１５に係る園芸用底敷の使用状態を示す断面図である。図２０は本発明の実施の形態１５に係る園芸用底敷の使用状態を示す平面図であり、園芸用容器の底壁部分のみを示す。
【００８６】
実施の形態１５に係る園芸用底敷１５０は、壁掛けタイプの半円筒状の園芸用容器１Ｂに使用される。この園芸用容器１Ｂは、図２０に示すように、半円状の底壁２Ｂを有する半円筒状、即ち、底付き円筒形状を中央で垂直方向に２分して壁掛け側を垂直壁面とした略底付き半円筒形状をなしている。そして、園芸用底敷１５０は、この底壁２Ｂ及び水抜き孔２ｂの形状（略半円形状）に対応して、略半円錐形状の突起部と略半円形リング板形状の平板部とを備えるよう構成することができる。具体的には、園芸用底敷１５０は、例えば、実施の形態１〜８の園芸用底敷１０〜８０をその軸線に沿って中央で２分割した形状をなす。即ち、園芸用底敷１５０は、図１９に示すように、中空の半円錐形状をなす突起部１５１と、突起部１５１の下端外周から外方に張り出すよう一体形成される半リング板形状をなす平板部１５２とを備える。
【００８７】
実施の形態１５に係る園芸用底敷１５０は、園芸用容器１Ｂの底壁２Ｂの水抜き孔２ｂ部分に載置され、実施の形態１〜８と同様の作用及び効果を発揮する。また、実施の形態１５に係る園芸用底敷１５０に、実施の形態１１〜１４の遮水具を組合わせて使用することも可能である。
【００８８】
［実施の形態１６］
図２１は本発明の実施の形態１６に係る園芸用底敷の使用状態を示す平面図であり、園芸用容器の底壁部分のみを示す。
【００８９】
実施の形態１６に係る園芸用底敷１６０は、壁掛けタイプの略長方形箱状の園芸用容器１Ｃに使用される。この園芸用容器１Ｃは、図２１に示すように、略長方形板状の底壁２Ｃを有する略長方形箱状をなしている。そして、園芸用底敷１６０は、この底壁２Ｃに対応して、例えば実施の形態９の園芸用底敷９０の突起部９１をその長さ方向に沿って中央で２分割した形状をなす。即ち、園芸用底敷１６０は、中空の断面直角三角形状をなす突起部１６１と、突起部１６１の下端縁から外方に張り出すよう一体形成される長方形板状をなす平板部１６２とを備える。
【００９０】
実施の形態１６に係る園芸用底敷１６０は、園芸用容器１Ｃの底壁２Ｃの水抜き孔２ｃ部分、例えば、底壁２Ｃの幅方向一端側の全体を覆うよう載置され、実施の形態９または１０と同様の作用及び効果を発揮する。
【００９１】
［実施の形態１７］
図２２は本発明の実施の形態１７に係る園芸用底敷を示す説明図であり、園芸用容器を垂直方向に切断して示す。
【００９２】
実施の形態１７は、本発明の園芸用底敷、例えば、実施の形態１〜１６のいずれかに係る園芸用底敷１０等に、受け皿内の水を吸収して園芸用容器１内部の土に供給する吸水具１７０を設けたものである。具体的には、図２２に示すように、吸水具１７０は、実施の形態１〜１６のいずれかの園芸用底敷１０等の突起部１１等の下端に中間部分を接合され手いる。また、吸水具１７０の一端側（下端側）部分は、突起部１１等の下端または平板部１２等の下面から、園芸用容器１の水抜き孔２ａを介して外部に導出自在な長尺状をなす。一方、吸水具１７０の他端側（上端側）部分は、突起部１１等の下端もしくは中間部分または平板部１２等の上面から、園芸用容器１の内部空間に延びる長尺状をなす。この吸水具１７０は、例えば、吸水性を有する帯状の布材等により形成することができる。更に、吸水具１７０の他端側は、突起部の下端、中間部分、上端部分等、任意の部分から外部（園芸用容器内部）に導出することができる。なお、この吸水具１７０を設ける園芸用底敷は、園芸用容器の内部に配置可能な高さの中空の突起状をなし、少なくとも上端から下端に向かう途中までの部分に多数の小孔を貫通形成して水抜き部を設けた突起部を具備するものであればよい。
【００９３】
実施の形態１７に係る吸水具１７０を有する園芸用底敷は、吸水具１７０の一端側を園芸用容器１の水抜き孔２ａから外部に導出し、園芸用容器１の受け皿部分に配置する。そして、受け皿に水を注いで貯溜することにより、吸水具１７０が受け皿内の水を吸収し、園芸用容器１の下端側（水抜き孔２ａ）から内部の土に給水して、植物の根に定常的に水分を補給することができる。
【００９４】
［実施の形態１〜１７に関する変更例］
本発明のうち、特に、実施の形態１〜１６に係る園芸用底敷は、少なくとも突起部を有するものであればよく、平板部を省略して実施することもできる。また、実施の形態４〜１０の遮水部を有する突起部は、園芸用容器の内部に配置可能な高さの中空の突起状をなし、上端から下端に向かう途中までの部分に多数の小孔を貫通形成して水抜き部を設けると共に、前記水抜き部より下側の部分の全体にシート状の遮水部を設けたものであれば、任意の変更が可能である。例えば、突起部を、半球状、角錐状、円柱状、角柱状等、他の任意の中空突起形状とすることも可能である。更に、遮水部を設ける範囲及び面積等も任意のものとすることができる。加えて、各実施の形態の園芸用底敷を下端側に一体形成して園芸用容器を形成してもよい。即ち、園芸用底敷を園芸用容器の下端側の底壁の上方に一体形成したり、或いは、底壁の代わりに一体形成したりして、園芸用容器を形成してもよい。
【００９５】
［実施の形態１８］
図２３は本発明の実施の形態１８に係る園芸用容器を示す斜視図である。
図２３に示すように、実施の形態１８に係る園芸用容器は、本体部２００と凹部壁２０５とを備える。本体部２００は、側壁２０１及び底壁２０２を有し、上端を開口した略直円筒状をなす。凹部壁２０５は、本体部２００の底壁２０２側から上方に延びる開口部２０７を有する。また、凹部壁２０５は、前記開口部２０７から本体部２００の内部に延びる三角柱凹部状の空間を形成する。更に、凹部壁２０５には多数の水抜き孔２０５ｘが形成されている。詳細には、凹部壁２０５は、一対の長方形板の頂点（上端）を所定角度で断面Ｖ字状に接合し、本体部２００の底壁２０２から上方に突出する略山形状の全体形状を有している。そして、凹部壁２０５は、本体部２００の側壁２０１の一側部から他側部へと底壁２０２の略中央部に沿って直線的に延びている。なお、凹部壁２０５は、本体部２００の側壁２０１の一側部から他側部に向かう途中まで形成し、側壁２０１の他側部では開口部２０７を形成しないようにしてもよい。或いは、凹部壁２０５は、本体部２００の側壁２０１の一側部から他側部に向かって曲線的、折れ線的等、直線的以外の進行方向に形成することもできる。或いは、凹部壁２０５を構成する長方形板を曲線状、屈曲状、波状、ジグザグ状、凹凸形状等に形成することもできる。或いは、凹部壁２０５は、単純な山形状ではなく、高さを相違させて波状またはジグザグ状等とした山形状に形成することもできる。前記凹部壁２０５の各長方形板の下端部を除く部分には、それぞれ、前記水抜き孔２０５ｘが所定の配置密度で均等に多数貫通形成されている。水抜き孔２０５ｘは、例えば、円形に形成されるが、その他の形状とすることも可能である。また、水抜き孔２０５ｘは、凹部壁２０５の下端部を除く全ての部分に形成されている。凹部壁２０５は、かかる水抜き孔２０５ｘを形成した部分により、水抜き部２０５ａを構成している。
【００９６】
一方、前記凹部壁２０５の下端部は、前記水抜き孔２０５ｘを形成しないことにより、遮水性の遮水部２０５ｂを形成している。遮水部２０５ｂにより、遮水部２０５ｂの上端までの範囲において、本体部２００の内部において底壁２０２上に所定量の水を貯留自在となっている。なお、図２３では、説明の便宜上、凹部壁２０５において水抜き部２０５ａと遮水部２０５ｂとの境界を二点鎖線にて示し、実際は、かかる二点鎖線は存在せず、最下端の水抜き孔２０５ｘより下方の部分が前記遮水部２０５ｂを構成する。ここで、実施の形態１８では、凹部壁２０５の下端部に水抜き孔２０５ｘを形成しないことにより遮水部２０５ｂを構成しているが、凹部壁２０５の下端部に水抜き孔２０５ｘを形成した場合でも、その上から遮水性のフィルムまたはシート材料等を接着等により貼り付けることにより、同様の機能の遮水部を構成することができる。
【００９７】
前記本体部２００及び凹部壁２０５は、任意の材料により任意の方法で上記形状に一体形成することができる。例えば、本体部２００及び凹部壁２０５は、透明、半透明または有色透明のポリアクリル樹脂やポリカーボネート樹脂等の樹脂材料を射出成形等の樹脂成形技術を使用して上記形状に一体成形することができる。
【００９８】
上記のように構成した実施の形態１８に係る園芸用容器は、本体部２００の内部に植栽用の土を充填し、植物を植えて、室外または室内でのガーデニング或いは装飾に使用する。ここで、園芸用容器に充填した土は、側壁２０１及び底壁２０２により支持及び遮断されると共に、凹部壁２０５によっても支持及び遮断される。また、植栽後の散水時には、園芸用容器内部の土中に染み込んだ水の一部は、そのまま土中に停滞水として保持され、土中の植物の根に吸収される。一方、その他の水は、凹部壁２０５の水抜き部２０５ａの水抜き孔２０５ｘから落下し、園芸用容器２００の外部に排出される。
【００９９】
また、園芸用容器内部の土は、凹部壁２０５の水抜き部２０５ａの外周面全体、正確には、全ての水抜き孔２０５ｘの合計面積の部分を介して、外気と接触する。また、外気との接触面積は、園芸用容器の種類、寸法及び水抜き孔２０５ｘの大きさ等に関係なく、凹部壁２０５の水抜き部２０５ａの寸法及び形状を変更することにより容易に変更することができる。更に、凹部壁２０５の長さ方向両端が、本体部２００の側壁２０１の一側及び他側において開口部２０７として開放しているため、開口部２０７を介して外気が本体部２００の底壁２０２側で凹部壁２０５の下面（外周面）に沿って循環または流通する。よって、凹部壁２０５の水抜き部２０５ａを介して、本体部２００内の土への外気の供給を円滑かつ効率よく行うことができ、植物の根への空気の供給効果を向上することができる。
【０１００】
したがって、実施の形態１８の園芸用容器によれば、植物への散水時に園芸用容器内部の土に進入した水の排出度合い、即ち、水はけの良さ（排出量、排出速度等）を、容易に変更及び調整することができる。よって、植物の種類によって、水はけを良くしたり、逆に、内部の水をある程度多めに確保したりすることができ、園芸用容器内部の水の排出度合い（水はけ）を容易に制御することができる。その結果、園芸容器内部に余分な水が滞留して植物が根腐れを起こしたり、逆に、植物の根に十分な量の水を確保できないといった不具合を防止することができる。また、上記のように、園芸用容器内部の土が外気と接触する面積を容易に調整することができるため、植物の根に対して十分な量の外気を最適な状態に調整して供給することができる。その結果、実施の形態１８の園芸用容器は、植物の根を良好な状態で生育させることができる。
【０１０１】
一方、凹部壁２０５の下端部に遮水部２０５ｂを設けたため、遮水部２０５ｂの高さ乃至面積を増減変更することにより、園芸用容器内部の土と外気との接触面積を一層容易に増減変更することができる。更に、遮水部２０５ｂの高さの範囲まで、園芸用容器内部に水を貯留することができる。また、園芸用容器を受け皿内に収容配置し、園芸用容器２００の外部に排出された水を受け皿（図示略）に貯留するようにした場合でも、凹部壁２０５の高さを受け皿の高さより十分高く形成することにより、園芸用容器内部及び受け皿内の水の上面（表面）と凹部壁２０５の頂点（水抜き部２０５ａの上端）との間に十分な空間が確保される。その結果、その空間が、園芸用容器内の土への外気供給空間として十分に機能し、園芸用容器の植物の根へ外気を十分に供給することができる。
【０１０２】
［実施の形態１９］
図２４は本発明の実施の形態１９に係る園芸用容器を示す斜視図である。
図２４に示すように、実施の形態１９に係る園芸用容器は、本体部２１０と凹部壁２１５とを備える。本体部２１０は、実施の形態１８とほぼ同様の側壁２１１及び底壁２１２を有し、上端を開口した略直円筒状をなす。一方、凹部壁２１５は、本体部２１０の底壁２１２側から上方に延びる開口部２１７を有する。また、凹部壁２１５は、前記開口部２１７から本体部２１０の内部に延びる三角錐凹部状の空間を形成する。更に、凹部壁２１５には多数の水抜き孔２１５ｘが形成されている。詳細には、凹部壁２１５は、開口部２１７を本体部２１０の底壁２１２から上方に突出する略三角形状とし、前記側壁２１１の一側部から他側部へと底壁２１２の略中央部に沿って延びる略四面体形状をなす。詳細には、凹部壁２１５は、一対の三角形板の対応する一辺を所定角度で接合し、本体部２１０の底壁２１２から上方に突出する四面体形状の全体形状を有している。そして、凹部壁２１５は、本体部２１０の側壁２１１の一側部から他側部に向かう途中まで、底壁２１２の略中央部に沿って直線的に延びている。なお、凹部壁２１５は、本体部２１０の側壁２１１の一側部から他側部まで完全に延びるよう形成してもよい。更に、このとき、凹部壁２１５が、側壁２１１の他側部でも開口部を形成するように構成してもよい。この場合、凹部壁２１５は、四面体形状ではなく、側壁２１１の一端部側の開口部２１７よりも、側壁２１１の他側部側の開口部を小さな面積とした略角錐台形状となる。或いは、凹部壁２１５を構成する三角形板を曲線状、屈曲状、波状、ジグザグ状、凹凸形状等に形成することもできる。凹部壁２１５は、本体部２１０の側壁２１１の一側部から他側部に向かって曲線的、折れ線的等、直線的以外の進行方向に形成することもできる。前記凹部壁２１５の各三角形板の下端部を除く部分には、それぞれ、実施の形態１８の水抜き孔２０５ｘと同様の水抜き孔２１５ｘが所定の配置密度で均等に多数貫通形成されている。水抜き孔２１５ｘは、凹部壁２１５の下端部を除く全ての部分に形成されている。凹部壁２１５は、かかる水抜き孔２１５ｘを形成した部分により、水抜き部２１５ａを構成している。
【０１０３】
一方、前記凹部壁２１５の下端部は、前記水抜き孔２１５ｘを形成しないことにより、遮水性の遮水部２１５ｂを形成し、遮水部２１５ｂの上端までの範囲において、本体部２１０の内部に水を貯留自在となっている。なお、図２４でも、説明の便宜上、凹部壁２１５において水抜き部２１５ａと遮水部２１５ｂとの境界を二点鎖線にて示している。また、実施の形態１９でも、凹部壁２１５の下端部に水抜き孔２１５ｘを形成し、その上から遮水性のフィルム等を貼り付けることにより、同様の機能の遮水部を構成することができる。
【０１０４】
前記本体部２１０及び凹部壁２１５は、実施の形態１８と同様にして一体形成することができる。また、上記のように構成した実施の形態１９に係る園芸用容器は、実施の形態１８と同様、本体部２１０の内部に植栽用の土を充填し、植物を植えて、室外または室内でのガーデニング或いは装飾に使用する。ここで、実施の形態１８と同様、園芸用容器内の土は、側壁２１１及び底壁２１２並びに凹部壁２１５によっても支持及び遮断される。また、植栽後の散水時には、園芸用容器内部の水は、停滞水として保持されると共に、凹部壁２１５の水抜き部２１５ａの水抜き孔２１５ｘから落下し、園芸用容器の外部に排出される。また、園芸用容器内部の土は、凹部壁２１５の水抜き部２１５ａの水抜き孔２１５ｘを介して、外気と接触する。このとき、外気との接触面積は、凹部壁２１５の水抜き部２１５ａの寸法及び形状を変更することにより容易に変更することができる。更に、凹部壁２１５の長さ方向両端が、本体部２１０の側壁２１１の一側において開口部２１７として開放しているため、開口部２１７を介して外気が本体部２１０の底壁２１２側で凹部壁２１５の下面（外周面）に沿って循環または流通する。よって、凹部壁２１５の水抜き部２１５ａを介して、本体部２１０内の土への外気の供給を円滑かつ効率よく行うことができる。
【０１０５】
一方、実施の形態１８と同様、凹部壁２１５の遮水部２１５ｂにより、園芸用容器内部の土と外気との接触面積を一層容易に増減変更することができると共に、園芸用容器内部に水を貯留することができる。また、凹部壁２１５の高さを十分高く形成することにより、凹部壁２１５の外側面により形成される空間が、園芸用容器内の土への外気供給空間として十分に機能し、園芸用容器の植物の根へ外気を十分に供給することができる。このように、実施の形態１９の園芸用容器によれば、実施の形態１８と同様の作用及び効果を発揮することができる。
【０１０６】
［実施の形態２０］
図２５は本発明の実施の形態２０に係る園芸用容器を示す斜視図である。
図２５に示すように、実施の形態２０に係る園芸用容器は、本体部２２０と凹部壁２２５とを備える。本体部２２０は、側壁２２１及び底壁２２２を有し、上端を開口した略半円筒状をなす。本体部２２０の側壁２２１の一側部２２１ｂは平坦状とされると共に、家屋の室内の壁面等、所定の取付壁面に対して壁掛け状態で取付け自在とされている。一側部２２１ｂの上端には、帯板状の取付部２２３が一体形成されている。取付部２２３の左右両端付近には一対の取付孔２２３ａが形成されている。取付孔２２３ａを取付壁面のフック等に引掛けることにより、園芸用容器を取付けるようになっている。本体部２２０の側壁２２１の他側部２２１ａは曲面状（半円筒形状）とされている。そして、凹部壁２２５は前記側壁２２１の一側部２２１ｂに形成されている。具体的には、凹部壁２２５は、実施の形態１９の凹部壁２１５と同様の四面体形状を有し、底壁２２２側から上方に延びる開口部を有する。また、凹部壁２２５は、前記開口部から本体部２２０の内部に延びる三角錐凹部状の空間を形成する。更に、凹部壁２２５には多数の水抜き孔２２５ｘが形成されている。詳細には、凹部壁２２５は、開口部を本体部２２０の側壁２２１の一側部２２１ｂにおいて底壁２２２から上方に突出する略三角形状とし、前記側壁２２１の一側部２２１ｂから他側部２２１ａへと底壁２２２の略中央部に沿って延びる略四面体形状をなす。
【０１０７】
なお、実施の形態１９で述べたと同様に、凹部壁２２５は、本体部２２０の側壁２２１の一側部２２１ｂから他側部２２１ａに向かう途中まで直線的に延びているが、側壁２２１の一側部２２１ｂから他側部２２１ａまで完全に延びるよう形成してもよい。更に、凹部壁２２５は、側壁２２１の他側部２２１ａでも開口部を形成するように構成したり、凹部壁２２５を構成する三角形板を曲線状等に形成したりすることもできる。前記凹部壁２２５の下端部を除く部分には、実施の形態１９の水抜き孔２１５ｘと同様の水抜き孔２２５ｘが所定の配置密度で均等に多数貫通形成され、水抜き部２２５ａを構成している。一方、前記凹部壁２２５の下端部は、実施の形態１９の遮水部２１５ｂと同様、遮水性の遮水部２２５ｂを形成している。
【０１０８】
前記本体部２２０及び凹部壁２２５は、実施の形態１８と同様にして一体形成することができる。また、上記のように構成した実施の形態２０に係る園芸用容器は、取付壁面に壁掛けして取付けると共に、実施の形態１８と同様、本体部２２０の内部に植栽用の土を充填し、植物を植えて、室外または室内でのガーデニング或いは装飾に使用する。そして、実施の形態２０に係る園芸用容器は、実施の形態１９に係る園芸用容器とほぼ同様に機能し、ほぼ同様の効果を発揮する。更に、実施の形態２０に係る園芸用容器は、凹部壁２２５を取付面となる側壁２２１の一側部２２１ｂ側に形成したため、取付時に凹部壁２２５が外部から遮蔽される。その結果、実施の形態２０に係る園芸用容器は、例えば、凹部壁２２５の存在を隠し、通常の園芸用容器と同様の外観を必要とする場合に好適である。
【０１０９】
［実施の形態２１］
図２６は本発明の実施の形態２１に係る園芸用容器を示す背面図である。図２７は図２６のＡ−Ａ線断面図である。
図２６及び図２７に示すように、実施の形態２１に係る園芸用容器は、本体部２３０と凹部壁２３５とを備える。本体部２３０は、全体形状を除き、実施の形態２０の本体部２２０と同様の構成を有している。即ち、本体部２３０は、側壁２３１及び底壁２３２を有し、上端を開口した中空の半球帯形状（半お椀形状）をなす。本体部２３０の側壁２３１の一側部２３１ｂは平坦状とされ、その上端に一体形成した取付部２３３の取付孔２３３ａを介して、本体部２３０を取付壁面に対して壁掛け状態で取付け自在としている。なお、側壁２３１の他側部２３１ａは曲面状とされている。前記凹部壁２３５は前記側壁２３１の一側部２３１ｂに形成され、実施の形態１９または２０の凹部壁２１５または２２５と同様の構成を有している。即ち、凹部壁２３５は、四面体形状を有し、底壁２３２側から上方に延びる開口部を有する。また、凹部壁２３５は、前記開口部から本体部２３０の内部に延びる三角錐凹部状の空間を形成する。そして、凹部壁２３５には多数の水抜き孔２３５ｘが形成され、水抜き部２３５ａを構成すると共に、、凹部壁２３５の下端部は、遮水性の遮水部２３５ｂを形成している。
【０１１０】
上記のように構成した実施の形態２１に係る園芸用容器は、取付壁面に壁掛けして取付け、実施の形態２０に係る園芸用容器とほぼ同様に機能し、ほぼ同様の効果を発揮する。
【０１１１】
［実施の形態２２］
図２８は本発明の実施の形態２２に係る園芸用容器を示す背面図である。図２９は図２８のＢ−Ｂ線断面図である。
図２８及び図２９に示すように、実施の形態２２に係る園芸用容器は、本体部２４０と凹部壁２４５とを備える。本体部２４０は、凹部壁２４５の配置位置を除き、実施の形態２１の本体部２３０と同様の構成を有している。即ち、本体部２４０は、実施の形態２１の本体部２３０と同様、側壁２４１及び底壁２４２を有し、上端を開口した中空の半球帯形状（半お椀形状）をなす。本体部２４０の側壁２４１の一側部２４１ｂは平坦状とされ、その上端に一体形成した取付部２４３の取付孔２４３ａを介して、本体部２４０を取付壁面に対して壁掛け状態で取付け自在としている。一方、前記凹部壁２４５は、前記側壁２４１の曲面状の他側部２４１ａに形成されている。凹部壁２４５は、中空の曲面形状（球分形状、球欠、球帯等）をなす。そして、凹部壁２４５の全面には多数の水抜き孔２４５ｘが所定の配置密度で均等に形成され、水抜き部２４５ａを構成している。なお、凹部壁２４５の下端部には、遮水性の遮水部は形成されていない。
【０１１２】
上記のように構成した実施の形態２２に係る園芸用容器は、取付壁面に壁掛けして取付け、実施の形態２０または２１に係る園芸用容器とほぼ同様に機能し、ほぼ同様の効果を発揮する。更に、曲面状の凹部壁２４５を本体部２４０の前面（意匠面）となる曲面状の他側部２４１ａに形成したため、独特の意匠的効果を発揮する。
【０１１３】
［実施の形態２３］
図３０は本発明の実施の形態２３に係る園芸用埋設体を示す斜視図である。図３１は図３０の園芸用埋設体を園芸用容器に埋設した状態を示す断面図である。
実施の形態２３に係る園芸用埋設体２５０は、略全面を閉塞されると共に園芸用容器２６０に充填した土Ｓ中に埋設自在な寸法の中空体形状をなしている。詳細には、園芸用埋設体２５０は、図３０に示すように、全体を閉塞した中空四面体２５１からなる。そして、前記中空四面体２５１の内部空間に連通する多数の水抜き孔２５１ｘを前記中空四面体２５１の壁面の主要部に形成している。具体的には、多数の水抜き孔２５１ｘが、中空四面体２５１の全ての壁面（４面）に所定の配置密度で均等に形成されている。
【０１１４】
上記のように構成した、園芸用埋設体２５０は、園芸用容器２６０の内部に土Ｓを充填する際に、土Ｓの中ほどに埋設して配置される。そして、園芸用容器２６０の内部に園芸用埋設体２５０を埋設した状態で、植物を土Ｓに植える。これにより、園芸用容器２６０の土Ｓの内部に、園芸用埋設体２５０による中空空間が形成される。したがって、植物の根に対して園芸用埋設体２５０内の空気を供給することにより、上記各実施の形態で述べたような根の発育増進効果を発揮することができる。なお、水抜き孔２５１ｘは、中空四面体２５１の全面ではなく、中空四面体２５１を園芸用容器２６０内に配置したときに下端となる部分を除く部分、例えば、上側の３面にのみ形成したり、中空四面体２５１の各三角形板の接合角部の一定部分を除く部分に形成したりしてもよい。これらの場合、中空四面体２５１を園芸用容器２６０内に配置したときに、水抜き孔２５１ｘを形成しない部分が下端に配置されるため、中空四面体２５１内部に一定量の水を貯留して、園芸用容器２６０内部の土Ｓに対する保水効果を向上することができる。
【０１１５】
ここで、園芸用埋設体の中空体は、中空四面体２５１とする他に、中空楕円体、中空球状体（半球状、球分状、球帯状、球欠状等を含む）、中空錐状体、中空錐台状体等、任意の形状の中空形状とする事ができる。また、園芸用埋設体の中空体は、生分解性材料（古紙や再生紙等の紙、生分解性プラスチック）により形成することもできる。更に、前記中空体に肥料成分及び害虫忌避成分のいずれかを内包または含有或いは含浸してもよい。中空体に肥料成分を内容または含有した場合、園芸用容器２６０の土Ｓから植物の根に肥料成分を供給することができる。一方、中空体に害虫忌避成分を内容または含有した場合、ナメクジやミミズ等の植物の根を食する害虫に対して防虫効果を発揮することができる。害虫忌避成分としては、所定の薬液の他、イオン作用による防虫効果を発揮する銅等の金属を中空体にコーティングしたり、中空体材料に混合したりすることができる。
【０１１６】
加えて、園芸用埋設体２５０は、前記中空体の内部空間の容積を、前記園芸用容器２６０の容積の約１〜１０％の範囲内とすることが好ましく、約１〜３％の範囲内とすることがより好ましく、約１．３〜２．１％の範囲内とすることがより一層好ましい。中空体の内部空間の容積をこれらの範囲内とすると、植物の根に対して十分な空気供給効果を発揮することができる。
【０１１７】
［実施の形態１〜２２に関する変形例］
実施の形態２３で述べたように、実施の形態１〜１６の園芸用底敷についても、その突起部の容積を、園芸用容器の容積の約１〜１０％の範囲内とすることが好ましく、約１〜３％の範囲内とすることがより好ましく、約１．３〜２．１％の範囲内とすることがより一層好ましい。突起部の内部空間の容積をこれらの範囲内とすると、植物の根に対して十分な空気供給効果を発揮することができる。即ち、本発明の園芸用底敷は、園芸用容器の底壁の底孔全体を覆うよう載置自在で、かつ、園芸用容器の土中に埋設自在な寸法の傾斜面を有する中空体形状をなし、前記中空体の内部空間に連通する多数の水抜き孔を前記中空体の壁面全体に形成すると共に、前記中空体の内部空間の容積を前記園芸用容器の容積に対して上記範囲内とした実施の形態として具体化することができる。
【０１１８】
また、実施の形態１〜１６の園芸用底敷を底壁に一体形成した園芸用容器についても、園芸用底敷に対応する部分の突起部の容積を、園芸用容器の全体の容積の約１〜１０％の範囲内とすることが好ましく、約１〜３％の範囲内とすることがより好ましく、約１．３〜２．１％の範囲内とすることがより一層好ましい。即ち、本発明の園芸用容器は、底壁及び側壁を有し、上端を開口した筒状の本体部と、前記本体部の底壁側から上方に延びるよう前記底壁に一体形成され、底壁の底孔全体を覆うと共に前記本体部に充填した土中に埋設自在な寸法の傾斜面を有する中空体形状をなし、前記中空体の内部空間に連通する多数の水抜き孔を前記中空体の壁面全体に形成した水抜き部とを備え、前記水抜き部の内部空間の容積を前記本体部の容積の上記範囲内とした実施の形態として具体化することができる。特に、各種苗木の栽培農家において広く使用される植生ポットの底壁に、上記各実施の形態の園芸用底敷に対応する部分を一体形成し、その容積比を上記範囲内とすることもできる。
【０１１９】
更に、実施の形態１８〜２１に係る凹部壁２０５，２１５，２２５，２３５は、遮水部２０５ｂ，２１５ｂ，２２５ｂ，２３５ｂを有しているが、遮水部２０５ｂ，２１５ｂ，２２５ｂ，２３５ｂを設けず、全面に水抜き孔２０５ｘ，２１５ｘ，２２５ｘ，２３５ｘを形成してもよい。或いは、実施の形態２２に係る凹部壁２４５の下端部に遮水部を形成してもよい。
【０１２０】
【発明の効果】
請求項１〜７に係る園芸用底敷、請求項８〜１１に係る園芸用埋設体、請求項１２に係る園芸用底敷、及び請求項１３に係る園芸用容器によれば、園芸用容器内部の水の排出度合いを必要に応じて制御したり、園芸用容器内部の植物の根に対して十分な量の空気を供給したりすることができる。
【図面の簡単な説明】
【図１】図１は本発明の実施の形態１に係る園芸用底敷を示す斜視図である。
【図２】図２は本発明の実施の形態１に係る園芸用底敷の使用状態を示す斜視図である。
【図３】図３は本発明の実施の形態２に係る園芸用底敷２０の平板部２２の一部を示す平面図である。
【図４】図４は本発明の実施の形態３に係る園芸用底敷の使用状態を示す説明図であり、園芸用容器及び園芸用底敷を垂直方向に切断して示す。
【図５】図５は本発明の実施の形態３に係る園芸用底敷の散水時の動作を示す説明図であり、園芸用容器及び園芸用底敷を垂直方向に切断して示す。
【図６】図６は本発明の実施の形態４に係る園芸用底敷を示す斜視図である。
【図７】図７は本発明の実施の形態４に係る園芸用底敷の使用状態を示す斜視図である。
【図８】図８は本発明の実施の形態５に係る園芸用底敷を示す斜視図である。
【図９】図９は本発明の実施の形態５に係る園芸用底敷の使用状態を示す説明図であり、園芸用容器を垂直方向に切断して示す。
【図１０】図１０は本発明の実施の形態６に係る園芸用底敷を示す斜視図である。
【図１１】図１１は本発明の実施の形態７に係る園芸用底敷の使用状態を示す説明図であり、園芸用容器及び園芸用底敷を垂直方向に切断して示す。
【図１２】図１２は本発明の実施の形態８に係る園芸用底敷を示す斜視図である。
【図１３】図１３は本発明の実施の形態９に係る園芸用底敷の使用状態を示す斜視図である。
【図１４】図１４は本発明の実施の形態１０に係る園芸用底敷の使用状態を示す説明図であり、園芸用容器を垂直方向に切断して示す。
【図１５】図１５は本発明の実施の形態１１に係る園芸用底敷の遮水具の使用状態を示す斜視図である。
【図１６】図１６は本発明の実施の形態１２に係る園芸用底敷の遮水具の使用状態を示す斜視図である。
【図１７】図１７は本発明の実施の形態１３に係る園芸用底敷の遮水具の使用状態を示す説明図であり、園芸用容器を垂直方向に切断して示す。
【図１８】図１８は本発明の実施の形態１４に係る園芸用底敷の遮水具の使用状態を示す説明図であり、園芸用容器を垂直方向に切断して示す。
【図１９】図１９は本発明の実施の形態１５に係る園芸用底敷の使用状態を示す断面図である。
【図２０】図２０は本発明の実施の形態１５に係る園芸用底敷の使用状態を示す平面図であり、園芸用容器の底壁部分のみを示す。
【図２１】図２１は本発明の実施の形態１６に係る園芸用底敷の使用状態を示す平面図であり、園芸用容器の底壁部分のみを示す。
【図２２】図２２は本発明の実施の形態１７に係る園芸用底敷を示す説明図であり、園芸用容器を垂直方向に切断して示す。
【図２３】図２３は本発明の実施の形態１８に係る園芸用容器を示す斜視図である。
【図２４】図２４は本発明の実施の形態１９に係る園芸用容器を示す斜視図である。
【図２５】図２５は本発明の実施の形態２０に係る園芸用容器を示す斜視図である。
【図２６】図２６は本発明の実施の形態２１に係る園芸用容器を示す背面図である。
【図２７】図２７は図２６のＡ−Ａ線断面図である。
【図２８】図２８は本発明の実施の形態２２に係る園芸用容器を示す背面図である。
【図２９】図２９は図２８のＢ−Ｂ線断面図である。
【図３０】図３０は本発明の実施の形態２３に係る園芸用埋設体を示す斜視図である。
【図３１】図３１は図３０の園芸用埋設体を園芸用容器に埋設した状態を示す断面図である。
【符号の説明】
２００，２１０，２２０，２３０，２４０：本体部
２０１，２１１，２２１，２３１，２４１：側壁
２２１ａ，２３１ａ，２４１ａ：側壁の他側部
２２１ｂ，２３１ｂ，２４１ｂ：側壁の一側部
２０２，２１２，２２２，２３２，２４２：底壁
２０５，２１５，２２５，２３５，２４５：凹部壁
２０５ａ，２１５ａ，２２５ａ，２３５ａ，２４５ａ：水抜き部
２０５ｂ，２１５ｂ，２２５ｂ，２３５ｂ：遮水部
２０５ｘ，２１５ｘ，２２５ｘ，２３５ｘ，２４５ｘ：水抜き孔
２０７，２１７：開口部
２５０：園芸用埋設体、２５１：中空四面体（中空体）、２５１ｘ：水抜き孔
【図１】
2004073044.tif 000003
【図２】
2004073044.tif 000004
【図３】
2004073044.tif 000005
【図４】
2004073044.tif 000006
【図５】
2004073044.tif 000007
【図６】
2004073044.tif 000008
【図７】
2004073044.tif 000009
【図８】
2004073044.tif 000010
【図９】
2004073044.tif 000011
【図１０】
2004073044.tif 000012
【図１１】
2004073044.tif 000013
【図１２】
2004073044.tif 000014
【図１３】
2004073044.tif 000015
【図１４】
2004073044.tif 000016
【図１５】
2004073044.tif 000017
【図１６】
2004073044.tif 000018
【図１７】
2004073044.tif 000019
【図１８】
2004073044.tif 000020
【図１９】
2004073044.tif 000021
【図２０】
2004073044.tif 000022
【図２１】
2004073044.tif 000023
【図２２】
2004073044.tif 000024
【図２３】
2004073044.tif 000025
【図２４】
2004073044.tif 000026
【図２５】
2004073044.tif 000027
【図２６】
2004073044.tif 000028
【図２７】
2004073044.tif 000029
【図２８】
2004073044.tif 000030
【図２９】
2004073044.tif 000031
【図３０】
2004073044.tif 000032
【図３１】
2004073044.tif 000033